(57)【特許請求の範囲】
【請求項１】
携帯型の情報処理装置において、
装置本体と、
前記装置本体に対して開閉自在に取り付けられた主表示装置と、
前記主表示装置が閉位置と開位置のどちらの状態においても表示面が露出される前記装置本体上の所定位置に設けられた副表示装置と、
前記装置本体内に設けられ、時刻を刻む時計モジュールと、
前記副表示装置に時刻を含む時計情報を表示する時計表示手段であって、常時電源が供給され、設定された現在時刻の値をカウントアップして前記副表示装置に表示すべき時刻の値を順次生成するカウンタと、常時電源が供給され、前記カウンタによって得られる時刻の値が前記副表示装置に表示されるように前記副表示装置を制御する表示制御部とを含む時計表示手段と、
前記情報処理装置のＣＰＵによって実行されるプログラムによって、前記情報処理装置の起動時に前記時計モジュールから時間情報を取得して当該取得した時間情報が示す現在時刻の値を前記カウンタに設定する処理を実行する手段と、
前記情報処理装置の起動時に前記時計モジュールからオペレーティングシステムが取得した時間情報に基づいて当該オペレーティングシステムによって管理されているシステム時間情報に関する変更操作が行われた場合、当該変更後のシステム時間情報を前記オペレーティングシステムから取得する手段と、
前記オペレーティングシステムによって管理されている前記システム時間情報の変更が前記副表示装置に表示される時計情報に反映されるように、前記オペレーティングシステムから取得した変更後のシステム時間情報が示す現在時刻の値を前記カウンタに設定する手段とを具備することを特徴とする情報処理装置。
【請求項２】
前記変更後のシステム時間情報を前記オペレーティングシステムから取得する手段は、前記オペレーティングシステムに対する前記システム時間情報の変更操作が行われたことを検知する手段と、前記システム時間情報の変更操作が行われたことが検知されたとき、前記オペレーティングシステムに変更後の新たなシステム時間情報を要求して前記オペレーティングシステムから前記変更後のシステム時間情報を取得する手段とを含むことを特徴とする請求項１記載の情報処理装置。
【請求項３】
携帯型の情報処理装置において、
装置本体と、
前記装置本体に対して開閉自在に取り付けられた主表示装置と、
前記主表示装置が閉位置と開位置のどちらの状態においても表示面が露出される前記装置本体上の所定位置に設けられた副表示装置と、
前記装置本体内に設けられ、時刻を刻む時計モジュールと、
前記副表示装置に時刻を含む時計情報を表示する時計表示手段であって、常時電源が供給され、設定された現在時刻の値をカウントアップして前記副表示装置に表示すべき時刻の値を順次生成するカウンタと、常時電源が供給され、前記カウンタによって得られる時刻の値が前記副表示装置に表示されるように前記副表示装置を制御する表示制御部とを含む時計表示手段と、
前記情報処理装置のＣＰＵによって実行されるプログラムによって、前記情報処理装置の起動時に前記時計モジュールから時間情報を取得して当該取得した時間情報が示す現在時刻の値を前記カウンタに設定する処理を実行する手段と、
前記情報処理装置の起動時に前記時計モジュールからオペレーティングシステムが取得した時間情報に基づいて当該オペレーティングシステムによって管理されているシステム時間情報に関する変更操作が行われた場合、当該変更後のシステム時間情報を前記オペレーティングシステムから取得する手段と、
前記オペレーティングシステムによって管理されている前記システム時間情報の変更が前記副表示装置に表示される時計情報に反映されるように、前記オペレーティングシステムから取得した変更後のシステム時間情報が示す現在時刻の値を前記カウンタに設定する手段と、
前記オペレーティングシステムのシャットダウン時に、前記オペレーティングシステムによって管理されている前記システム時間情報を前記時計モジュールに設定する手段とを具備することを特徴とする情報処理装置。
【請求項４】
前記変更後のシステム時間情報を前記オペレーティングシステムから取得する手段は、前記オペレーティングシステムに対する前記システム時間情報の変更操作が行われたことを検知する手段と、前記システム時間情報の変更操作が行われたことが検知されたとき、前記オペレーティングシステムに変更後の新たなシステム時間情報を要求して前記オペレーティングシステムから前記変更後のシステム時間情報を取得する手段とを含むことを特徴とする請求項３記載の情報処理装置。
【発明の詳細な説明】
【０００１】
【発明の属する技術分野】
本発明はパーソナルコンピュータなどの情報処理装置および同装置で使用される時計表示制御方法に関する。
【０００２】
【従来の技術】
一般に、パーソナルコンピュータなどの情報処理装置においては、オペレーティングシステムによって様々なシステム情報が管理されている。システム情報の一つに、日時などの時間情報がある。時間情報をオペレーティングシステムが管理することにより、ファイル作成日時などに代表されるような各種データの時間管理を容易に行うことが出来る。
【０００３】
すなわち、オペレーティングシステムは、日付及び時刻とそのコンピュータが利用されている地域（タイムゾーン）に関する時間情報を管理しており、現在時刻などを時計としてデスクトップ画面に表示したり、それら日付及び時刻を利用してファイル管理などを行っている。オペレーティングシステムが管理する日付及び時刻は必要に応じてユーザが自由に設定変更することができ、またユーザが地域を指定することで、その指定された地域にあったシステムの時刻がオペレーティングシステムによって自動的に求められ管理される。
【０００４】
【発明が解決しようとする課題】
しかしながら、オペレーティングシステムによってディスプレイ画面上に表示される時刻はシステムを起動した後でなければ見ることができない。また、ラップトップタイプまたはノートブックタイプのパーソナルコンピュータにおいては、システムを起動してもディスプレイを閉じた状態では表示画面を見ることが出来ないため、当然画面上の時計を見ることも出来ない。
【０００５】
本発明は上述の事情を考慮してなされたものであり、オペレーティングシステムで管理されているシステムの時刻と同じ時刻をいつでも確認することが可能な情報処理装置および同装置で使用される時計表示制御方法を提供することを目的とする。
【０００６】
【課題を解決するための手段】
上述の課題を解決するため、本発明は、携帯型の情報処理装置において、装置本体と、前記装置本体に対して開閉自在に取り付けられた主表示装置と、前記主表示装置が閉位置と開位置のどちらの状態においても表示面が露出される前記装置本体上の所定位置に設けられた副表示装置と、前記装置本体内に設けられ、時刻を刻む時計モジュールと、前記副表示装置に時刻を含む時計情報を表示する時計表示手段であって、常時電源が供給され、設定された現在時刻の値をカウントアップして前記副表示装置に表示すべき時刻の値を順次生成するカウンタと、常時電源が供給され、前記カウンタによって得られる時刻の値が前記副表示装置に表示されるように前記副表示装置を制御する表示制御部とを含む時計表示手段と、前記情報処理装置のＣＰＵによって実行されるプログラムによって、前記情報処理装置の起動時に前記時計モジュールから時間情報を取得して当該取得した時間情報が示す現在時刻の値を前記カウンタに設定する処理を実行する手段と、前記情報処理装置の起動時に前記時計モジュールからオペレーティングシステムが取得した時間情報に基づいて当該オペレーティングシステムによって管理されているシステム時間情報に関する変更操作が行われた場合、当該変更後のシステム時間情報を前記オペレーティングシステムから取得する手段と、前記オペレーティングシステムによって管理されている前記システム時間情報の変更が前記副表示装置に表示される時計情報に反映されるように、前記オペレーティングシステムから取得した変更後のシステム時間情報が示す現在時刻の値を前記カウンタに設定する手段とを具備することを特徴とする。
【０００７】
この情報処理装置においては、ディスプレイモニタとして使用される主表示装置とは別に副表示装置が設けられており、常時電源が供給されるカウンタおよび表示制御部を含む時計表手段により、副表示装置に時計情報が表示される。特に、情報処理装置の起動時に時計モジュールから時間情報を取得して当該取得した時間情報が示す現在時刻の値をカウンタに設定する仕組みと、オペレーティングシステムによって管理されている時間情報に関する変更操作が行われたときにその変更結果をオペレーティングシステムから取得して副表示装置に表示される時計情報に反映する仕組みを設けているので、常にシステムの時刻と副表示装置に表示される時刻とを合わせることが可能となる。したがって、オペレーティングシステムの起動の有無や主表示装置が閉じられているか否かなどに影響を受けることなく、システムの時刻と同じ時刻をいつでも確認することが可能となる。
【０００８】
【発明の実施の形態】
以下、図面を参照して本発明の実施形態を説明する。まず、図１および図２を参照して、本発明の一実施形態に係る情報処理装置の構成について説明する。ここでは、ノートブック型パーソナルコンピュータとして実現した場合を想定する。
【０００９】
図１は本コンピュータのディスプレイユニットを開いた状態における正面図である。本コンピュータは、コンピュータ本体１１と、ディスプレイユニット１２とから構成されている。ディスプレイユニット１２には、ＬＣＤパネル１２１が組み込まれている。ＬＣＤパネル１２１は本コンピュータのディスプレイモニタとして使用される主表示装置である。ディスプレイユニット１２は、コンピュータ本体１１に対して開位置と閉位置との間を回動自在に取り付けられている。コンピュータ本体１１は薄い箱形の筐体を有しており、その上面にはキーボード１１１、タッチパッド１１２、および左右２つのボタン１１３ａ，１１３ｂなどが配置されている。
【００１０】
コンピュータ本体１１上面上の奥手側には、本コンピュータを電源オン／オフするためのパワーボタン１１４が設けられている。さらに、コンピュータ本体１１上面上の手前側には、複数の操作ボタン１１５とサブＬＣＤ１１６が設けられている。
【００１１】
複数の操作ボタン１１５はそれぞれハードウェアから構成された外部入力ボタンであり、特定のプログラムの起動やオーディオ再生制御等のための専用ボタンとして使用される。サブＬＣＤ１１６は本コンピュータの各種ステータスを表示するために設けられた副表示装置であり、ここには、オーディオ再生の状態を示す情報の他、例えば外部ＡＣ電源の接続の有無、ハードディスクドライブのアクセスの有無などの、様々なシステムステータスを表示することができる。さらに、本実施形態ではこのサブＬＣＤ１１６を用いてシステム時刻を示す時計情報を表示する。
【００１２】
ディスプレイユニット１２を閉じた場合、キーボード１１、タッチパッド１１２、左右２つのボタン１１３ａ，１１３ｂについてはディスプレイユニット１２によって覆われるが、複数の操作ボタン１１５とサブＬＣＤ１１６については外部に露出されたままとなる。これにより、ディスプレイユニット１２を閉じた状態においても、ユーザは複数の操作ボタン１１５を操作したり、サブＬＣＤ１１６の表示を見ることが出来る。
【００１３】
図２には、本コンピュータのシステム構成が示されている。本コンピュータには、図示のように、ＣＰＵ２０１、ホストブリッジ２０２、主メモリ２０３、グラフィクスコントローラ２０４、通信デバイス２０５、ＰＣＩ−ＩＳＡブリッジ２０６、Ｉ／Ｏコントローラ２０７、ハードディスクドライブ（ＨＤＤ）２０８、ＣＤ−ＲＯＭドライブ２０９、ＢＩＯＳ−ＲＯＭ２１０、エンベデッドコントローラ／キーボードコントローラＩＣ（ＥＣ／ＫＢＣ）２１１、および電源コントローラ２１３等が設けられている。
【００１４】
ＣＰＵ２０１は本コンピュータの動作を制御するために設けられたものであり、ハードディスクドライブ（ＨＤＤ）２０８から主メモリ２０３にロードされたオペレーティングシステムおよびアプリケーションプログラム／ユーティリティプログラムを実行する。また、ＣＰＵ２０１は、ＢＩＯＳ−ＲＯＭ２１０に格納されたＢＩＯＳも実行する。
【００１５】
ホストブリッジ２０２はＣＰＵ２０１のローカルバスとＰＣＩバス１との間を双方向で接続するブリッジデバイスである。グラフィクスコントローラ２０４は本コンピュータのディスプレイモニタとして使用されるＬＣＤパネル１２１を制御する。通信デバイス２０５はＰＣＩデバイスの１つであり、例えばインターネットなどのコンピュータネットワークへの接続のために使用される。Ｉ／Ｏコントローラ２０７もＰＣＩデバイスの１つであり、ここにはハードディスクドライブ（ＨＤＤ）２０８およびＣＤ−ＲＯＭドライブ２０９を制御するためのＩＤＥコントローラなどが内蔵されている。
【００１６】
ＰＣＩ−ＩＳＡブリッジ２０６はＰＣＩバス１とＩＳＡバス２を双方向で接続するブリッジデバイスであり、ここにはリアルタイムクロック（ＲＴＣ）２０６ａの他、例えばシステムタイマ、ＤＭＡコントローラ、割り込みコントローラなどの各種システムデバイスも内蔵されている。リアルタイムクロック（ＲＴＣ）２０６ａは時刻を刻む時計モジュールであり、例えば、年、月、日、曜、時、分、秒などの時間情報を管理する。このリアルタイムクロック（ＲＴＣ）２０６ａの時間情報は、オペレーティングシステムが管理する日時および時刻の基準として用いられる。リアルタイムクロック（ＲＴＣ）２０６ａは独自の電池により常に動作している。
【００１７】
ＢＩＯＳ−ＲＯＭ２１０にはＢＩＯＳが格納されている。このＢＩＯＳは本システム内のハードウェアコンポーネントを制御するためのプログラムである。このＢＩＯＳには、リアルタイムクロック（ＲＴＣ）２０６ａから時間情報を読み取る機能や、エンベデッドコントローラ／キーボードコントローラＩＣ（ＥＣ／ＫＢＣ）２１１を制御してサブＬＣＤ１１６に表示される時刻を修正する機能なども含まれている。
【００１８】
エンベデッドコントローラ／キーボードコントローラＩＣ（ＥＣ／ＫＢＣ）２１１は、電力管理のためのエンベデッドコントローラとキーボード１１１を制御するためのキーボードコントローラとが集積された１チップマイクロコンピュータである。このエンベデッドコントローラ／キーボードコントローラＩＣ（ＥＣ／ＫＢＣ）２１１は、電源コントローラ２１３と共同して、ユーザによるパワーボタン１１４の操作に応じて本コンピュータをパワーオン／パワーオフする機能を有している。さらに、本実施形態では、このエンベデッドコントローラ／キーボードコントローラＩＣ（ＥＣ／ＫＢＣ）２１１には、サブＬＣＤ１１６に時計情報を表示するための機能部として、サブＬＣＤ１１６の表示制御を行うＬＣＤ制御ユニット、およびＢＩＯＳ等によって設定される時刻情報をカウントアップしてサブＬＣＤ１１６に表示すべき時刻の値を順次生成するカウンタなども設けている。
【００１９】
エンベデッドコントローラ／キーボードコントローラＩＣ（ＥＣ／ＫＢＣ）２１１およびサブＬＣＤ１１６には常に動作電源が供給されており、本コンピュータが電源オフ状態であってもサブＬＣＤ１１６に常に時計を表示しておくことが出来る。
【００２０】
次に、図３を参照して、オペレーティングシステムによって管理されている時刻とサブＬＣＤ１１６に表示される時刻とを同期させるための仕組みについて説明する。
【００２１】
オペレーティングシステム（ＯＳ）３０１はリアルタイムクロック（ＲＴＣ）２０６ａと共同して日付及び時刻をシステム時間情報として管理しており、現在時刻をＬＣＤパネル１２１の表示画面上に図示のように表示することが出来る。また、オペレーティングシステム（ＯＳ）３０１は地域（タイムゾーン）別にその地域に対応した時刻管理を行う機能を備えている。オペレーティングシステム（ＯＳ）３０１が管理する日付及び時刻は、日時およびタイムゾーン設定プログラム３０２を用いて必要に応じてユーザが自由に設定変更することができ、またユーザが地域（タイムゾーン）を指定することで、その指定された地域にあったシステム時刻がオペレーティングシステム（ＯＳ）３０１によって自動的に求められ管理される。
【００２２】
日時およびタイムゾーン設定プログラム３０２によって時刻や地域の変更が指示されると、オペレーティングシステム（ＯＳ）３０１は即座にシステムの時間情報を変更する。これにより、表示画面上に表示される現在時刻も即座に変更されることになる。
【００２３】
またオペレーティングシステム（ＯＳ）３０１によって管理されている時間情報が変更されると、そのことがサブＬＣＤ時計設定プログラム３０３によって検知される。サブＬＣＤ時計設定プログラム３０３は常駐終了型プログラム（ＴＳＲ）として実現されており、例えばオペレーティングシステム（ＯＳ）３０１に対して予めイベント発生の予約登録を行っておくことなどによって、時間情報が変更されたことを示すイベントをオペレーティングシステム（ＯＳ）３０１から受け取ることが出来る。もちろん、日時およびタイムゾーン設定プログラム３０２からオペレーティングシステム（ＯＳ）３０１に発行される時間情報の変更指示をフックする仕組みを利用して、時間情報が変更されたことを検知するようにしてもよい。
【００２４】
サブＬＣＤ時計設定プログラム３０３はオペレーティングシステム（ＯＳ）３０１から変更後の新たな時間情報を取得し、その取得した時間情報が示す現在のシステム時刻をＢＩＯＳを通じてエンベデッドコントローラ／キーボードコントローラＩＣ（ＥＣ／ＫＢＣ）２１１にセットすることにより、サブＬＣＤ１１６に表示される時計情報の現在時刻を、変更後のシステム時刻に合わせて修正する。
【００２５】
次に、図４を参照して、本コンピュータの起動時からシャットダウン時までに行われる一連の時刻表示制御の流れについて説明する。
【００２６】
（１）時刻情報の取得
パワーボタン１１４が押されると本コンピュータがパワーオンされ、本コンピュータを起動するためのブート処理が実行される。このブート処理においては、ＢＩＯＳ３０４はリアルタイムクロック（ＲＴＣ）２０６ａから時刻情報を取得して、その時刻情報が示す現在時刻をエンベデッドコントローラ／キーボードコントローラＩＣ（ＥＣ／ＫＢＣ）２１１にセットすることにより、サブＬＣＤ１１６に表示させる。また、リアルタイムクロック（ＲＴＣ）２０６ａの時刻情報はＯＳ３０１によっても取得され、その時刻情報が示す現在時刻がＯＳ３０１によって表示画面上に表示される。
【００２７】
（２）日時／タイムゾーンの設定・変更
ユーザは日時およびタイムゾーン設定プログラム３０２を起動し、現在時刻や地域情報の変更操作を行う。この変更操作で指定された新たな現在時刻や地域情報は日時およびタイムゾーン設定プログラム３０２からＯＳ３０１に通知される。
【００２８】
（３）システム時刻の変更
ＯＳ３０１は日時およびタイムゾーン設定プログラム３０２からの通知に基づいて自身が管理しているシステム時間情報を変更する。これにより、例えば表示画面上の時計は変更前の時刻「１２：００」から変更後の時刻「１３：００」に修正される。
【００２９】
（４）システム時間情報の変更を示すイベント通知
ＯＳ３０１は自身が管理しているシステム時間情報を変更すると、イベント通知処理部４０１を通じて、システム時間情報を変更したことを示すイベントをサブＬＣＤ時計設定プログラム３０３に発行する。このイベントにより、サブＬＣＤ時計設定プログラム３０３はシステム時間情報が変更されたことを検知する。
【００３０】
（５）（６）システム時間情報の要求・取得
サブＬＣＤ時計設定プログラム３０３は、時間情報取得部４０２からＯＳ３０１に対してシステム時間情報の取得要求を発行する。これにより、ＯＳ３０１から変更後の新たなシステム時間情報を取得することが出来る。
【００３１】
（７）時間情報変更指示
サブＬＣＤ時計設定プログラム３０３は、変更後の新たなシステム時間情報が示す現在時刻を時間情報変更指示部４０３を通じてＢＩＯＳ３０４に通知して、サブＬＣＤ１１６に表示されている現在時刻の変更を指示する。
【００３２】
（８）ＢＩＯＳ３０４は、変更後の新たなシステム時間情報が示す現在時刻をエンベデッドコントローラ／キーボードコントローラＩＣ（ＥＣ／ＫＢＣ）２１１のカウンタにセットすることにより、サブＬＣＤ１１６に表示されている現在時刻をシステム時刻に一致させる。これにより、サブＬＣＤ１１６に表示されている現在時刻は、例えば変更前の時刻「１２：００」から変更後の時刻「１３：００」に修正される。
【００３３】
（９）システム時間情報の設定
ユーザ操作によってＯＳ３０１のシャットダウンが要求されると、ＯＳ３０１はシャットダウン処理の過程で、現在のシステム時間情報をリアルタイムクロック（ＲＴＣ）２０６ａに設定する。次回のシステム起動時にはリアルタイムクロック（ＲＴＣ）２０６ａから読み込んだ時刻がサブＬＣＤ１１６に表示されるが、これはシステム時刻と一致する。
【００３４】
このように、システム時間情報の変更の度にＯＳ３０１から新たなシステム時間情報を取得してサブＬＣＤ１１６の時計表示に反映させる仕組みを設けることにより、サブＬＣＤ１１６への時計表示のために行うリアルタイムクロック（ＲＴＣ）２０６ａからの時間情報の読み込みはシステム起動時のみに行うだけで済むようになるので、システムパフォーマンスに影響を与えることなく、サブＬＣＤ１１６に表示される時計の時刻をシステム時刻と一致させることが出来る。
【００３５】
次に、図５のフローチャートを参照して、サブＬＣＤ時計設定プログラム３０３によって実行されるサブＬＣＤ１１６の時計設定処理について説明する。
【００３６】
まず、サブＬＣＤ時計設定プログラム３０３は、ＯＳ３０１からのイベントの有無により、システム時間情報が変更されたかどうかを判別する（ステップｓ１０１）。ＯＳ３０１からイベントが発行された場合は、サブＬＣＤ時計設定プログラム３０３はシステム時間情報が変更されたと認識し（ステップＳ１０１のＹＥＳ）、ＯＳ３０１に対してシステム時間情報の取得要求を発行して、ＯＳ３０１から新たなシステム時間情報を取得する（ステップＳ１０２）。
【００３７】
次いで、サブＬＣＤ時計設定プログラム３０３は、ＢＩＯＳ３０４に対してサブＬＣＤ１１６の時計情報の時刻の変更を指示する（ステップＳ１０３）。この変更指示には、ＯＳ３０１から取得した新たなシステム時間情報が示す現在時刻の値が含まれている。そして、ＢＩＯＳ３０４が、エンベデッドコントローラ／キーボードコントローラＩＣ（ＥＣ／ＫＢＣ）２１１に現在時刻をセットすることにより、サブＬＣＤ１１６の時計情報の時刻が変更される（ステップＳ１０４）。なお、エンベデッドコントローラ／キーボードコントローラＩＣ（ＥＣ／ＫＢＣ）２１１への現在時刻のセットはサブＬＣＤ時計設定プログラム３０３が自身で行っても良い。
【００３８】
以上のように、本実施形態によれば、ディスプレイモニタとして使用されるＬＣＤパネル１２１とは別にサブＬＣＤ１１６が設けられており、そのサブＬＣＤ１１６に時計情報が表示される。これにより、ＯＳ３０１の起動の有無やＬＣＤパネル１２１の開閉状態とは関係なく、常に時計情報をユーザに呈示することが出来る。またＯＳ３０１によって管理されているシステム時間情報の変更操作がユーザによって行われたときにその変更結果をサブＬＣＤ１１６に表示される時計情報に反映する仕組みを設けているので、常にシステム時刻とサブＬＣＤ１１６に表示される時刻とを合わせることが可能となる。
【００３９】
なお、以上の例ではサブＬＣＤ１１６に現在時刻を表示する場合についてのみ説明したが、年月日などの日付情報を併せて表示するようにしてもよい。この場合でも、システム時間情報との同期を取ることが出来る。
【００４０】
また、本実施形態の時計制御機能は全てコンピュータプログラムによって実現されているので、そのコンピュータプログラムをコンピュータ読み取り可能な記録媒体に記憶しておくことにより、その記録媒体を通じて本プログラムを、副表示装置に時計を表示する機能を持つコンピュータに導入するだけで、本実施形態と同様の効果を容易に実現することが可能となる。
【００４１】
また、本発明は、上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００４２】
【発明の効果】
以上詳述した如く本発明によれば、オペレーティングシステムで管理されているシステムの時刻と同じ時刻をいつでも確認することが可能となる。
【図面の簡単な説明】
【図１】本発明の一実施形態に係るコンピュータのディスプレイ開放状態における外観を示す図。
【図２】同実施形態のコンピュータのシステム構成を示すブロック図。
【図３】同実施形態のコンピュータにおけるシステム時刻とサブＬＣＤに表示される時刻とを同期させるための仕組みを説明するためのブロック図。
【図４】同実施形態のコンピュータの起動時からシャットダウン時までに行われる一連の時刻表示制御の流れを説明するための図。
【図５】同実施形態のコンピュータにおけるサブＬＣＤの時計設定処理の手順を示すフローチャート。
【符号の説明】
１１…コンピュータ本体
１２…ディスプレイユニット
１１５…操作ボタン
１１６…サブＬＣＤ
１２１…ＬＣＤパネル
２０１…ＣＰＵ
２０６ａ…リアルタイムクロック
２１１…ＥＣ／ＫＢＣ
３０１…オペレーティングシステム
３０２…日時およびタイムゾーン設定プログラム
３０３…サブＬＣＤ時計設定プログラム
３０４…ＢＩＯＳ
【図１】
0003563721.tif 000002
【図２】
0003563721.tif 000003
【図３】
0003563721.tif 000004
【図４】
0003563721.tif 000005
【図５】
0003563721.tif 000006